(57)【要約】【課題】パルスの立上り時間の精度を向上する【解決手段】本発明のパルス発生器は、パルス生成部とブリッジタップとを有する。パルス生成部は、立上りの範囲（規格などによって定められた立上り時間の範囲）に丸みを有したパルスを生成する。ブリッジタップは、一端が開放され、他端がパルス生成部からの出力が伝搬する線路に電気的に接続された分布定数線路である。そして、ブリッジタップは、パルス生成部が生成したパルスの立上り最初の部分もしくは最後の部分の丸みの部分の時間以上かつ瞬時値が１００％に達する時間以下の遅延を生じさせる分布定数線路である。また、コンデンサを有するブリッジタップを用いてもある程度の効果が得られる。【選択図】図４
2011233994.tif 000002
【特許請求の範囲】
【請求項１】
パルスを生成するパルス生成部と、
一端が開放され他端が前記パルス生成部からの出力が伝搬する線路に電気的に接続されたブリッジタップと
を有し、
前記ブリッジタップは、前記パルス生成部が生成したパルスの立上り最初の部分もしくは最後の部分の丸みの部分の時間以上かつ瞬時値が１００％に達する時間以下の遅延を生じさせる分布定数線路である
ことを特徴とするパルス発生器。
【請求項２】
パルスを生成するパルス生成部と、
一端が開放され他端が前記パルス生成部からの出力が伝搬する線路に電気的に接続されたブリッジタップと
を有し、
前記ブリッジタップは、長さが１０〜５０ｃｍの同軸コードである
ことを特徴とするパルス発生器。
【請求項３】
請求項１または２記載のパルス発生器であって、
前記ブリッジタップを複数有している
ことを特徴とするパルス発生器。
【請求項４】
請求項１または２記載のパルス発生器であって、
前記ブリッジタップは、コンデンサも有している
ことを特徴とするパルス発生器。
【請求項５】
パルスを生成するパルス生成部と、
前記パルス生成部からの出力が伝搬する線路に接続されたブリッジタップと
を有し、
前記ブリッジタップは、一端が開放され他端が前記線路に電気的に接続されたコンデンサを有し、前記パルス生成部が生成したパルスの立上りの範囲の丸みを直線状に整形する
ことを特徴とするパルス発生器。
【請求項６】
立上りの範囲に丸みを有するパルスの立上りの範囲を直線状に整形するパルス整形方法であって、
一端が開放され、前記パルスの立上り最初の部分もしくは最後の部分の丸みの部分の時間以上かつ瞬時値が１００％に達する時間以下の遅延を生じさせる分布定数線路の他端を、前記パルスを発生するパルス発生部と負荷との間の線路に電気的に接続する
ことを特徴とするパルス整形方法。
【請求項７】
立上りの範囲に丸みを有するパルスの立上りの範囲を直線状に整形するパルス整形方法であって、
一端が開放され、長さが１０〜５０ｃｍの同軸コードの他端を、前記パルスを発生するパルス発生部と負荷との間の線路に電気的に接続する
ことを特徴とするパルス整形方法。
【請求項８】
立上りの範囲に丸みを有するパルスの立上りの範囲を直線状に整形するパルス整形方法であって、
前記パルスを発生するパルス発生部と負荷との間の線路に、一端が開放されたコンデンサを有するブリッジタップの他端を電気的に接続する
ことを特徴とするパルス整形方法。
【発明の詳細な説明】
【技術分野】
【０００１】
本発明は、波形の形状が規定されているパルスを発生させるパルス発生器と、波形を整形するパルス整形方法に関する。例えば、試験用のインパルス状の波形を生成するパルス発生器とパルス整形方法に関する。
【背景技術】
【０００２】
いろいろな装置の電気的な試験を行う際に、試験項目の中にインパルス状の電圧を試験対象の装置に印加する試験が含まれることが多い。例えば、電気的高速過渡現象に対する電気および電子機器のイミュニティに関する試験技術および測定技術の技術標準として、非特許文献１がある。そして、インパルス状の電圧を生成するパルス発生器として、非特許文献１の図１に示された構成が知られている。図１は非特許文献１の図１に示されたパルス生成部（なお、非特許文献１の中では「バースト発生器」と呼ばれている）の構成を、図２は非特許文献１の図３に示されたパルス波形を示している。図１のパルス生成部９００は、高圧電源９１０、充電抵抗９２０、エネルギー蓄積コンデンサ９３０、スイッチ９４０、インパルス幅成型抵抗９５０、インピーダンス整合抵抗９６０、直流阻止コンデンサ９７０で構成されており、出力同軸９８０が接続されている。非特許文献１には、パルス波形が満たさなければならない条件が示されており、例えば以下のような特性を満たさなければならない。
【０００３】
５０Ω負荷での出力電圧領域は、少なくとも０．１２５ｋＶ〜２ｋＶ
立上り時間Ｔｒ＝５ｎｓ±３０％
パルスの時間幅Ｔｄ＝５０ｎｓ±３０％
なお、立上り時間Ｔｒとは、パルスの瞬時値がまず１０％（頭頂部の電圧の１０％）に達し、その後９０％（頭頂部の電圧の９０％）に達する間の時間間隔である。パルスの時間幅Ｔｄとは、パルスの５０％値の時間幅である。
【先行技術文献】
【非特許文献】
【０００４】
【非特許文献１】”Electromagnetic compatibility (EMC) - Part 4: Testing and measurement techniques - Section 4: Electrical fast transient/burst immunity test”, Basic EMC publication, International Standard, IEC 61000-4-4, second edition, 2004-07.
【発明の概要】
【発明が解決しようとする課題】
【０００５】
非特許文献１のイミュニティに関する試験の場合、特に立上り時間Ｔｒは試験結果に大きく影響する。しかし、高精度にパルスを生成することが難しいこともあり、立上り時間Ｔｒには±３０％もの誤差を許容されている。このため、非特許文献１の規格を満たすあるパルス発生器を用いたイミュニティ試験に合格した装置であっても、非特許文献１の規格を満たす他のパルス発生器を用いたイミュニティ試験では不合格となってしまうことがある。つまり、同じ技術標準に準拠した試験であるにもかかわらず、試験結果が異なるという不都合が生じてしまう。
【０００６】
本発明は、立上り時間Ｔｒの精度を向上したパルス発生器とパルス整形方法を提供することを目的とする。
【課題を解決するための手段】
【０００７】
本発明のパルス発生器は、パルス生成部とブリッジタップとを有する。パルス生成部は、立上りの範囲（規格などによって定められた立上り時間の範囲）に丸みを有したパルスを生成する。ブリッジタップは、一端が開放され、他端がパルス生成部からの出力が伝搬する線路に電気的に接続された分布定数線路である。そして、ブリッジタップは、パルス生成部が生成したパルスの立上り最初の部分もしくは最後の部分の丸みの部分の時間以上かつ瞬時値が１００％に達する時間以下の遅延を生じさせる分布定数線路である。立上り最初の部分もしくは最後の部分とは、立上り全体の中の両端のどちらかという意味である。なお、立上り時間が５ｎｓ程度のパルスの場合であれば、分布定数線路には長さが１０〜５０ｃｍの同軸コードを用いればよく、特に、２０〜４０ｃｍの同軸コードが適している場合が多い。また、ブリッジタップは複数本としてもよい。さらに、コンデンサを有するブリッジタップを用いてもある程度の効果が得られる。
【０００８】
本発明のパルス整形方法は、パルス生成部が生成するパルスの立上りの範囲に丸みがある場合に、パルス発生部と負荷との間の線路に、一端が開放された分布定数線路の他端を電気的に接続する。
【発明の効果】
【０００９】
本発明のパルス発生器、パルス整形方法によれば、ブリッジタップによってパルスの一部を遅延させて合成することや、高周波成分を減衰させることで、立上りの範囲の丸みを直線状に整形できる。したがって、パルスの立上り時間の精度を向上できる。
【図面の簡単な説明】
【００１０】
【図１】非特許文献１の図１に示されたパルス生成部の構成を示す図。
【図２】非特許文献１の図３に示されたパルス波形を示す図。
【図３】従来のパルス発生器で生成したパルス波形を示す図。
【図４】実施例１のパルス発生器の構成例を示す図。
【図５】立上りの範囲に丸みがないパルスに本発明を適用した場合であって、遅延時間をパルスの瞬時値が１０％に達する時間よりも長くかつ１００％に達する時間よりも短くしたときの波形の変化を示す図。
【図６】立上りの範囲に丸みがないパルスに本発明を適用した場合であって、遅延時間をパルスの瞬時値が１０％に達する時間にしたときの波形の変化を示す図。
【図７】立上りの範囲に丸みがないパルスに本発明を適用した場合であって、遅延時間をパルスの瞬時値が１００％に達する時間にしたときの波形の変化を示す図。
【図８】立上りの範囲に丸みがないパルスに本発明を適用した場合であって、遅延時間をパルスの瞬時値が１００％に達する時間よりも長くしたときの波形の変化を示す図。
【図９】立上りの範囲に丸みがあるパルスに本発明を適用した場合であって、遅延時間をパルスの瞬時値が１０％に達する時間よりも長くかつ１００％に達する時間よりも短くしたときの波形の変化を示す図。
【図１０】立上りの範囲に丸みがあるパルスに本発明を適用した場合であって、遅延時間をパルスの丸みがなくなる時間にしたときの波形の変化を示す図。
【図１１】ブリッジタップの長さが２０ｃｍの図４のパルス発生器に５０Ω負荷を接続し、負荷に２ｋＶが印加するようにパルスを発生させたときの電圧の変化を示す図。
【図１２】ブリッジタップの長さが２５ｃｍの図４のパルス発生器に５０Ω負荷を接続し、負荷に２ｋＶが印加するようにパルスを発生させたときの電圧の変化を示す図。
【図１３】ブリッジタップの長さが３０ｃｍの図４のパルス発生器に５０Ω負荷を接続し、負荷に２ｋＶが印加するようにパルスを発生させたときの電圧の変化を示す図。
【図１４】ブリッジタップの長さが４０ｃｍの図４のパルス発生器に５０Ω負荷を接続し、負荷に２ｋＶが印加するようにパルスを発生させたときの電圧の変化を示す図。
【図１５】ブリッジタップの長さが５０ｃｍの図４のパルス発生器に５０Ω負荷を接続し、負荷に２ｋＶが印加するようにパルスを発生させたときの電圧の変化を示す図。
【図１６】ブリッジタップの長さが３０ｃｍの図４のパルス発生器に５０Ω負荷を接続し、負荷に−２ｋＶが印加するようにパルスを発生させたときの電圧の変化を示す図。
【図１７】出力同軸の長さ、ブリッジタップの長さ、極性を変更しながら立上り時間を測定した結果を示す図。
【図１８】実施例２のパルス発生器の構成例を示す図。
【図１９】図１のパルス生成部９００に５０Ω負荷を接続し、負荷に２ｋＶが印加するようにパルスを発生させたときの電圧の変化を示す図。
【図２０】コンデンサの容量が２７ｐＦの図１８のパルス発生器に５０Ω負荷を接続し、負荷に２ｋＶが印加するようにパルスを発生させたときの電圧の変化を示す図。
【図２１】コンデンサの容量が３３ｐＦの図１８のパルス発生器に５０Ω負荷を接続し、負荷に２ｋＶが印加するようにパルスを発生させたときの電圧の変化を示す図。
【図２２】コンデンサの容量が４２ｐＦの図１８のパルス発生器に５０Ω負荷を接続し、負荷に２ｋＶが印加するようにパルスを発生させたときの電圧の変化を示す図。
【図２３】コンデンサの有無、コンデンサの容量、発生させる電圧、極性を変更しながら立上り時間を測定した結果を示す図。
【発明を実施するための形態】
【００１１】
以下、本発明の実施の形態について、詳細に説明する。なお、同じ機能を有する構成部には同じ番号を付し、重複説明を省略する。
【００１２】
分析
本発明の目標は、立上り時間Ｔｒの精度を向上することであるが、まず、立上り時間Ｔｒの精度が悪い原因について検討する。図３は、従来のパルス発生器で生成したパルス波形を示している。図３から、パルスの９０％値のあたりも含んで、パルスの頂点付近の波形が丸くなっていることが分かる。この丸みの大きさが変化すると立上り時間Ｔｒが大きく変化することになる。そこで、本発明では、立上り時間Ｔｒの精度を向上するために、立上り時間の対象となる範囲（立上りの範囲）である瞬時値が１０％から９０％の範囲で波形がより直線的なパルスを生成する。
【実施例１】
【００１３】
構成
図４に本発明のパルス発生器の構成例を示す。パルス発生器１００は、パルス生成部９００とブリッジタップ１１０とを有する。パルス生成部９００は、例えば図１に示した構成とすればよく、出力同軸９８０によって生成されたパルスは装置（負荷）に供給される。パルス生成部９００は、図３のように、立上りの範囲（規格などによって定められた立上り時間の範囲）に丸みを有したパルスを生成する。非特許文献１の規格の場合であれば、立ち上がりの範囲とは、パルスの瞬時値が１０％に達し、その後９０％に達する範囲である。
【００１４】
ブリッジタップ１１０は、一端が開放され、他端がパルス生成部９００からの出力が伝搬する線路（例えば、出力同軸９８０）に電気的に接続された分布定数線路である。そして、ブリッジタップ１１０は、パルス生成部９００が生成したパルスの立上り最初の部分もしくは最後の部分の丸みの部分の時間以上かつ瞬時値が１００％に達する時間以下の遅延を生じさせる分布定数線路である。立上り最初の部分もしくは最後の部分とは、立上り全体の中の両端のどちらかという意味である。ブリッジタップ１１０は、このような遅延を与えることで、パルス生成部９００が生成したパルスの立上りの範囲の丸みを直線状に整形する。例えば、特性インピーダンスが５０オームの同軸コードの場合、パルスの速度は５ｎｓ／ｍなので、同軸コードに流れ込んだパルスは、開放端で反射されて戻るまでに、同軸コードの長さ（ｍ）×１０（ｎｓ／ｍ）だけ遅れることになる。非特許文献１のように、立上り時間が５ｎｓ程度のパルスの場合であれば、分布定数線路には長さが１０〜５０ｃｍの同軸コードを用いればよく、特に、２０〜４０ｃｍの同軸コードが適している場合が多いと考えられる。
【００１５】
また、本発明のパルス整形方法は、パルス生成部９００が生成するパルスの立上りの範囲に丸みがある場合に、パルス生成部９００と負荷（図示していないが、出力同軸９８０に接続される装置）との間の線路（例えば、出力同軸９８０）に、一端が開放されたブリッジタップ１１０（例えば、同軸コードなどの分布定数線路）の他端を電気的に接続する。
【００１６】
原理
次に、本発明のパルス発生器やパルス生成方法が、なぜ立上りの範囲を直線状に整形できるのかを説明する。この説明では、まず立上りの範囲に丸みがないパルスに本発明を適用した場合について説明する。その後、立上りの範囲に丸みがあるパルスに本発明を適用した場合について説明する。
【００１７】
図５は、立上りの範囲に丸みがないパルスに本発明を適用した場合であって、遅延時間をパルスの瞬時値が１０％に達する時間よりも長くかつ１００％に達する時間よりも短くしたときの波形の変化を示す図である。一点鎖線はパルス生成部９００からの出力電圧（オリジナルパルス１１１）を示している。オリジナルパルス１１１は、出力同軸９８０とブリッジタップ１１０とに分割される。間隔の広い点線は出力同軸９８０側に伝搬した第１分割パルス１２２を示しており、間隔の狭い点線はブリッジタップ１１０側に伝搬し、ブリッジタップ１１０の開放端側で反射された後に出力同軸９８０に伝搬した第２分割パルス１２３を示している。実線は、第１分割パルス１２２と第２分割パルス１２３とが合成された整形後パルス１２１を示している。図中のＤは第２分割パルス１２３がブリッジタップ１１０によって遅れる遅延時間を示しており、Ｔｒ１はオリジナルパルス１１１の立上り時間、Ｔｒ２は整形後パルス１２１の立上り時間、ＡはＴｒ１とＴｒ２の差を示している。また、ｔ０はオリジナルパルス１１１が発生した時刻、ｔ１はオリジナルパルス１１１の瞬時値が１０％に達する時刻、ｔ２は第１分割パルス１２２の瞬時値が１０％に達する時刻、ｔ３は第２分割パルス１２３が出力同軸９８０に入った時刻、ｔ４はオリジナルパルス１１１の瞬時値が９０％に達する時刻、ｔ５はオリジナルパルス１１１の瞬時値が１００％に達する時刻、ｔ６は整形後パルス１２１の瞬時値が９０％に達する時刻、ｔ７は整形後パルス１２１の瞬時値が１００％に達する時刻を示している。
【００１８】
図５のＣ２の部分の傾きは緩やかになっていることが分かる。つまり、パルス生成部９００が生成するパルスが図５のオリジナルパルス１１１のように立上りの範囲に丸みがないパルスの場合、遅延時間がオリジナルパルス１１１の瞬時値が１０％に達する時間よりも長くかつ１００％に達する時間よりも短くなるように本発明を適用すると、立上りの範囲に丸みを与えてしまうことになる。このことから、一般にブリッジタップは性能を劣化させるものとして知られている。
【００１９】
図６は、立上りの範囲に丸みがないパルスに本発明を適用した場合であって、遅延時間をパルスの瞬時値が１０％に達する時間にしたときの波形の変化を示す図である。この場合は、ｔ２とｔ３とが同じ時刻となり、ｔ５とｔ６とが同じ時刻となる。そして、傾きが緩やかな部分は瞬時値が０〜１０％の範囲と９０〜１００％の範囲だけとなり、立上りの範囲の波形はオリジナルパルス１１１も整形後パルス１２１も同じである。つまり、パルスの瞬時値が１０％に達する時間以下の遅延を与えても、立上りの範囲の波形は変わらず、Ｔｒ１とＴｒ２は等しいままである。
【００２０】
図７は、立上りの範囲に丸みがないパルスに本発明を適用した場合であって、遅延時間をパルスの瞬時値が１００％に達する時間にしたときの波形の変化を示す図である。この場合は、整形後パルス１２１の傾きはオリジナルパルス１１１の半分（Ｔｒ２はＴｒ１の２倍）となるが、整形後パルス１２１の立上りの範囲も直線状である。
【００２１】
図８は、立上りの範囲に丸みがないパルスに本発明を適用した場合であって、遅延時間をパルスの瞬時値が１００％に達する時間よりも長くしたときの波形の変化を示す図である。この場合は、図中のＢに示すように平らな部分が発生してしまう。したがって、遅延時間をパルスの瞬時値が１００％に達する時間よりも長くするべきではないことが分かる。
【００２２】
図９は、立上りの範囲に丸みがあるパルスに本発明を適用した場合であって、遅延時間をパルスの瞬時値が１０％に達する時間よりも長くかつ１００％に達する時間よりも短くしたときの波形の変化を示す図である。この図では、丸みがオリジナルパルス１１１の瞬時値が０〜２５％と７５〜１００％の範囲にある例を示している。図中のＣ１はオリジナルパルス１１１の丸みの部分であり、Ｃ２は整形後パルス１２１の丸みの部分である。オリジナルパルス１１１はブリッジタップ１１０によって分割されるので、丸みの部分Ｃ１も分割されることになる。分割された丸みの部分が合成されないように遅延時間Ｄを設定すれば、整形後パルス１２１の丸みの部分Ｃ２は、整形後パルス１２１の瞬時値が０〜１２．５％と８７．５〜１００％の範囲となる。つまり、オリジナルパルス１１１では立上りの範囲のうち瞬時値が１０〜２５％と７５〜９０％に丸みがあったが、整形後パルス１２１では立上りの範囲のうち瞬時値が１０〜１２．５％と８７．５〜９０％と５０％の付近に丸みがあるだけになる。さらに、整形後パルス１２１の丸み以外の部分の傾きも緩やかになるので、丸みが目立たなくなる。したがって、立上りの範囲全体で波形を直線状にできることが分かる。
【００２３】
図１０は、立上りの範囲に丸みがあるパルスに本発明を適用した場合であって、遅延時間をパルスの丸みがなくなる時間にしたときの波形の変化を示す図である。この図では、丸みがオリジナルパルス１１１の瞬時値が０〜１５％と８５〜１００％の範囲にある例を示している。この場合も、オリジナルパルス１１１では立上りの範囲のうち瞬時値が１０〜１５％と８５〜９０％に丸みがあったが、整形後パルス１２１では立上りの範囲のうち瞬時値が５０％の付近に丸みがあるだけになる。さらに、整形後パルス１２１の丸み以外の部分の傾きも緩やかになるので、丸みが目立たなくなる。したがって、立上りの範囲全体で波形を直線状にできることが分かる。
【００２４】
図５を用いて説明したように、一般にブリッジタップは性能を劣化させるものとして知られている。しかし、図９や図１０を用いて説明したように、立上りの範囲に丸みを有するパルスに対して本発明を適用すれば、丸みを低減できる。したがって、立上り時間の対象となる範囲（立上りの範囲）である１０％から９０％よりも広い範囲で波形がより直線的なパルスに整形できる。つまり、パルスの立上り時間の精度を向上できる。なお、上述の説明では、立ち上がりの範囲をパルスの瞬時値が１０％から９０％としたが、他の範囲でも本発明が適用できる。
【００２５】
例えば、同軸コードでのパルスの速度が５ｎｓ／ｍの場合であれば、同軸コードを往復する時間が遅延時間になるので、同軸コードの長さ（ｍ）×１０（ｎｓ／ｍ）だけ遅れることになる。立上り時間Ｔｒが５ｎｓの場合、丸みがないときならば瞬時値が１０％となるまでの時間は０．５ｎｓ程度なので、丸みによって傾きが半分になったと仮定すれば１ｎｓ程度で瞬時値が１０％となる。１ｎｓ程度の遅延を与えるとすれば、同軸コードの長さは１０ｃｍとなる。また、５ｎｓ以上の遅延を与えると、遅延時間が瞬時値が１００％に達する時間よりも長くなり、図８で説明したような平らな部分が生じる可能性があるので、理論上は５０ｃｍよりも同軸コードを長くすべきではない。
【００２６】
なお、上述の説明ではブリッジタップとして用いる同軸コードは１本であったが、複数本用いてもよい。例えばＮ本の同軸コードを用いれば、パルス生成部９００で生成されたパルスはＮ＋１分割され、同軸コードで反射されて合成されるので、同様の効果が得られる。また、各同軸コードの長さを個別に調整できるので、立ち上がりの範囲の丸みをさらに低減できる。ただし、ブリッジタップの本数を増やせば、調整の自由度が増す一方、調整が煩雑になるという問題もある。したがって、同軸コードの本数は、パルス発生器に求められる立上りの精度などから適宜決定すればよい。
【００２７】
実験
図１１〜１５は、図４のパルス発生器１００に５０Ω負荷を接続し、負荷に２ｋＶが印加するようにパルスを発生させたときの電圧の変化を示す図である。出力同軸９８０の長さは３０ｃｍとした。ブリッジタップ１１０の長さは、図１１は２０ｃｍ、図１２は２５ｃｍ、図１３は３０ｃｍ、図１４は４０ｃｍ、図１５は５０ｃｍである。図１６は、図４のパルス発生器１００に５０Ω負荷を接続し、負荷に−２ｋＶが印加するようにパルスを発生させたときの電圧の変化を示す図である。出力同軸９８０の長さは３０ｃｍ、ブリッジタップ１１０の長さは３０ｃｍである。図３に示したブリッジタップがない場合の波形よりも、立上りの最初の部分と頭頂部の丸みが小さくなったことがわかる。また、ブリッジタップを５０ｃｍにした場合には、図１５のＥの部分から分かるように、傾きが緩やかな部分が立上りの範囲の真ん中付近に生じている。立上り時間が５ｎｓの例では、同軸コードの長さは１０〜５０ｃｍで本発明の効果が生じることが分かる。また、特に２０〜４０ｃｍでより良い効果が得られることが分かる。
【００２８】
図１７は、出力同軸の長さ、ブリッジタップの長さ、極性を変更しながら立上り時間を測定した結果を示している。立上り時間の単位はｎｓである。この図から、ブリッジタップの長さによって、立上り時間が調整できることが分かる。また、出力同軸の長さは遅延時間には影響していないことが分かる。極性の違いによる立上り時間の差は、パルス生成部９００の特性の影響も含まれている。したがって、ブリッジタップの長さを調整すれば、パルス生成部９００の内部の調整をしなくても、規格が定める立上り時間となるように調整できることが分かる。
【実施例２】
【００２９】
図１８に、本発明の第２の実施例を示す。パルス発生器２００は、パルス生成部９００とブリッジタップ２１０とを有する。パルス発生器２００とパルス発生器１００との違いは、ブリッジタップ２１０としてコンデンサを用いていることである。
【００３０】
図１９は、図１のパルス生成部９００に５０Ω負荷を接続し、負荷に２ｋＶが印加するようにパルスを発生させたときの電圧の変化を示す図である。図２０〜２２は、図１８のパルス発生器２００に５０Ω負荷を接続し、負荷に２ｋＶが印加するようにパルスを発生させたときの電圧の変化を示す図である。出力同軸９８０の長さは３０ｃｍとした。ブリッジタップ２１０のコンデンサの容量は、図２０は２７ｐＦ、図２１は３３ｐＦ、図２２は４２ｐＦである。なお、特性インピーダンス５０Ωの３０ｃｍの同軸コードは、約３０ｐＦの静電容量を有していることから、このような容量を選択した。
【００３１】
図２３は、コンデンサの有無、コンデンサの容量、発生させる電圧、極性を変更しながら立上り時間を測定した結果を示している。ブリッジタップなしの場合に、電圧と極性が異なることで立上り時間が異なるのは、パルス生成部９００の特性と考えられる。同じ電圧と極性であれば、容量が大きくなると立上り時間が長くなる傾向である。これは、コンデンサによって高周波成分が減衰したことによると考えられる。したがって、ブリッジタップにコンデンサを含め、コンデンサの容量を調整することで立上り時間が調整できることが分かる。
【産業上の利用可能性】
【００３２】
本発明は、試験用のパルスのように波形の形状が規定されているパルスを発生させるパルス発生器や、規定に適合するパルスになるよう波形を整形する方法に利用できる。
【符号の説明】
【００３３】
１００、２００  パルス発生器
１１０、２１０  ブリッジタップ
９００  パルス生成部
９８０  出力同軸
【図１】
2011233994.tif 000003
【図２】
2011233994.tif 000004
【図３】
2011233994.tif 000005
【図４】
2011233994.tif 000006
【図５】
2011233994.tif 000007
【図６】
2011233994.tif 000008
【図７】
2011233994.tif 000009
【図８】
2011233994.tif 000010
【図９】
2011233994.tif 000011
【図１０】
2011233994.tif 000012
【図１１】
2011233994.tif 000013
【図１２】
2011233994.tif 000014
【図１３】
2011233994.tif 000015
【図１４】
2011233994.tif 000016
【図１５】
2011233994.tif 000017
【図１６】
2011233994.tif 000018
【図１７】
2011233994.tif 000019
【図１８】
2011233994.tif 000020
【図１９】
2011233994.tif 000021
【図２０】
2011233994.tif 000022
【図２１】
2011233994.tif 000023
【図２２】
2011233994.tif 000024
【図２３】
2011233994.tif 000025